(57)【要約】【課題】少ないレンズ枚数で、所望の解像力を有し、歪曲の目立ちにくい良好な解像感が得られる、撮像レンズおよび撮像モジュールを実現する。【解決手段】撮像レンズ１００は、入射された光を、短辺の寸法と長辺の寸法との比率がａ：ｂである四角形状の、センサ４の受光部に対して導くものであり、条件式（１）〜（５）を満足するように構成されている。    ２．０％＜ｄｉｓｔＡ＜５．０％                                  ・・・（１）    ０．５％＜ｄｉｓｔＡ−ｄｉｓｔＢ＜１．４％                      ・・・（２）    ｄｉｓｔＣ−ｄｉｓｔＢ＜０％                                    ・・・（３）    Ａ＝ａ／（ａ２＋ｂ２）１／２                                    ・・・（４）    Ｂ＝ｂ／（ａ２＋ｂ２）１／２                                    ・・・（５）【選択図】図１
2011248319.tif 000002
【特許請求の範囲】
【請求項１】
入射された光を、短辺の寸法と長辺の寸法との比率がａ：ｂである四角形状の受光部に対して導く撮像レンズであって、
条件式（１）〜（５）
【数１】
2011248319.tif 000014
【数２】
2011248319.tif 000015
【数３】
2011248319.tif 000016
【数４】
2011248319.tif 000017
【数５】
2011248319.tif 000018
ただし、
ｄｉｓｔＡ・・・像の中心から最大像高のＡ割に該当する高さにおける歪曲
ｄｉｓｔＢ・・・像の中心から最大像高のＢ割に該当する高さにおける歪曲
ｄｉｓｔＣ・・・最大像高における歪曲
を満足するように、上記歪曲のそれぞれが調整されていることを特徴とする撮像レンズ。
【請求項２】
画角の最大値は、６２°を超えていることを特徴とする請求項１に記載の撮像レンズ。
【請求項３】
物体側から像面側へと向かって順に、開口絞り、正の屈折力を有する第１レンズ、および、第２レンズを備えており、
上記第１レンズは、物体側に凸面を向けたメニスカスレンズであり、
上記第２レンズは、物体側に向けた面が凹形状であることを特徴とする請求項１または２に記載の撮像レンズ。
【請求項４】
上記第２レンズにおける像面側に向けた面は、撮像レンズ自身の光軸の上を除く部分において、該光軸の法線方向に対する面傾斜の最大角度が６０°以上であることを特徴とする請求項３に記載の撮像レンズ。
【請求項５】
Ｆナンバーは、３．２未満であることを特徴とする請求項１〜４のいずれか１項に記載の撮像レンズ。
【請求項６】
請求項１〜５のいずれか１項に記載の撮像レンズと、上記受光部を有している固体撮像素子と、を備えることを特徴とする撮像モジュール。
【請求項７】
上記固体撮像素子の画素数は、１００万画素を超えていることを特徴とする請求項６に記載の撮像モジュール。
【請求項８】
上記固体撮像素子の画素のピッチは、２．５μｍ未満であることを特徴とする請求項６または７に記載の撮像モジュール。
【請求項９】
上記撮像レンズを構成する最も像面側のレンズを同一面上に複数備えたレンズアレイと、上記固体撮像素子を同一面上に複数備えたセンサアレイとを、各レンズと各固体撮像素子とが１対１に対応して対向配置されるように接合した後、
上記対向配置された、上記レンズと固体撮像素子との組を単位として分割して製造されたものであることを特徴とする請求項６〜８のいずれか１項に記載の撮像モジュール。
【請求項１０】
上記撮像レンズは、複数のレンズから構成されるものであって、
上記撮像レンズを構成する、隣り合うレンズの一方を同一面上に複数備えた第１レンズアレイと、上記隣り合うレンズの他方を同一面上に複数備えた第２レンズアレイとを、上記第１レンズアレイに備えられた各レンズと、上記第２レンズアレイに備えられた各レンズとが１対１に対応して対向配置されるように貼り合せた後、
上記対向配置されたレンズの組を単位として分割して製造されたものであることを特徴とする請求項６〜９のいずれか１項に記載の撮像モジュール。
【請求項１１】
上記撮像レンズを構成するレンズの少なくとも１つは、熱硬化性樹脂または紫外線硬化性樹脂から成ることを特徴とする請求項６〜９のいずれか１項に記載の撮像モジュール。
【発明の詳細な説明】
【技術分野】
【０００１】
本発明は、携帯端末のデジタルカメラ等への搭載を目的とした、撮像レンズおよび撮像モジュールに関する発明である。特に、本発明は、固体撮像素子を用いた撮像モジュール、および、この撮像モジュールへの適用に都合のよい撮像レンズに関する発明である。
【背景技術】
【０００２】
近年、低画素数のデジタルカメラに対する需要は、増加している。該デジタルカメラは、新興国向けの携帯電話機（携帯端末）、携帯電話機のサブカメラ、または、パーソナルコンピュータ等に対して搭載されている。
【０００３】
上記低画素数のデジタルカメラは、一般に売価が低く、また、製造コストを抑えるべくレンズ枚数が少なくされるため、十分な収差補正を施すことが困難である。
【０００４】
また、携帯電話機向けに搭載される上記デジタルカメラでは、広い画角が求められるが、広い画角の上記デジタルカメラでは、歪曲（ディストーション）が大きくなる。
【０００５】
少ないレンズ枚数で、所望の解像力を有し、歪曲の目立ちにくい良好な解像感が得られる光学系を実現する技術としては、特許文献１に開示された技術が挙げられる。
【０００６】
特許文献１に係る結像光学系は、歪曲に関するものであり、以下の条件式（Ａ）〜（Ｃ）を満足するように構成されている。
【０００７】
２．０％＜│ＤＩＳＴ６│＜５．０％                              ・・・（Ａ）
│ＤＩＳＴ８−ＤＩＳＴ６│＜０．５％                            ・・・（Ｂ）
│ＤＩＳＴ１０−ＤＩＳＴ８│＜１．８％                          ・・・（Ｃ）
ただし、ＤＩＳＴ６は、６割の像高における光学ディストーションであり、ＤＩＳＴ８は、８割の像高における光学ディストーションであり、ＤＩＳＴ１０は、１０割の像高における光学ディストーションであるとする。
【先行技術文献】
【特許文献】
【０００８】
【特許文献１】特開２００５−１０７３７０号公報（２００５年４月２１日公開）
【発明の概要】
【発明が解決しようとする課題】
【０００９】
しかしながら、特許文献１に係る結像光学系は、広い画角である場合、光軸から遠い位置での歪曲が大きくなってしまうため、条件式（Ａ）〜（Ｃ）を満足させることが困難であるという問題が発生する。
【００１０】
また、特許文献１に係る結像光学系は、条件式（Ａ）〜（Ｃ）を満足する場合であっても、条件式（Ｄ）〜（Ｆ）をさらに満足する場合、または、条件式（Ｇ）〜（Ｉ）をさらに満足する場合に、陣笠のような形状の歪曲を生じてしまうため、歪曲が目立ってしまうという問題が発生する。
【００１１】
０％＜ＤＩＳＴ６                                                ・・・（Ｄ）
ＤＩＳＴ８−ＤＩＳＴ６＜０％                                    ・・・（Ｅ）
０％＜ＤＩＳＴ１０−ＤＩＳＴ８                                  ・・・（Ｆ）
ＤＩＳＴ６＜０％                                                ・・・（Ｇ）
０％＜ＤＩＳＴ８−ＤＩＳＴ６                                    ・・・（Ｈ）
ＤＩＳＴ１０−ＤＩＳＴ８＜０％                                  ・・・（Ｉ）
本発明は、上記の問題に鑑みて為された発明であり、その目的は、少ないレンズ枚数で、所望の解像力を有し、歪曲の目立ちにくい良好な解像感が得られる、撮像レンズおよび撮像モジュールを実現することにある。
【課題を解決するための手段】
【００１２】
本発明の撮像レンズは、上記の問題を解決するために、入射された光を、短辺の寸法と長辺の寸法との比率がａ：ｂである四角形状の受光部に対して導く撮像レンズであって、条件式（１）〜（５）
【００１３】
【数１】
2011248319.tif 000003
【００１４】
【数２】
2011248319.tif 000004
【００１５】
【数３】
2011248319.tif 000005
【００１６】
【数４】
2011248319.tif 000006
【００１７】
【数５】
2011248319.tif 000007
【００１８】
ただし、
ｄｉｓｔＡ・・・像の中心から最大像高のＡ割に該当する高さにおける歪曲
ｄｉｓｔＢ・・・像の中心から最大像高のＢ割に該当する高さにおける歪曲
ｄｉｓｔＣ・・・最大像高における歪曲
を満足するように、上記歪曲のそれぞれが調整されていることを特徴としている。
【００１９】
上記の構成によれば、歪曲を良好に補正することが困難である場合においても、歪曲の目立ちにくい光学系を実現することが可能となる。
【００２０】
ｄｉｓｔＡ≦２．０％である場合、歪曲を良好に補正することが容易であるため、そもそも、本発明に係る構成を適用する必要が無い。
【００２１】
５．０％≦ｄｉｓｔＡである場合、あまりに歪曲が大きすぎて、歪曲が目立ってしまう。
【００２２】
ｄｉｓｔＡ−ｄｉｓｔＢ≦０．５％である場合、歪曲を良好に補正することが容易であるため、そもそも、本発明に係る構成を適用する必要が無い。
【００２３】
１．４％≦ｄｉｓｔＡ−ｄｉｓｔＢである場合、あまりに歪曲が大きすぎて、歪曲が目立ってしまう。
【００２４】
０％≦ｄｉｓｔＣ−ｄｉｓｔＢである場合、陣笠のような形状の歪曲が生じ、歪曲が目立ってしまう。
【００２５】
すなわち、本願発明者らは、鋭意検討の結果、以上の各問題点を見出し、これらの問題点を克服すべく、条件式（１）〜（５）を満足させるという、本発明に係る特徴点に想到した。
【００２６】
以上のことから、本発明の撮像レンズは、少ないレンズ枚数で、所望の解像力を有し、歪曲の目立ちにくい良好な解像感が得られるものであると言える。
【００２７】
また、条件式（３）は、像高ｈ１．０における歪曲であるｄｉｓｔＣを、比較的大きな値まで許容するため、撮像レンズの広い画角に起因して、光軸から遠い位置での歪曲が大きくなってしまう場合であっても、容易に満足させることができる。
【００２８】
また、本発明の撮像レンズは、画角の最大値は、６２°を超えていることを特徴としている。
【００２９】
画角が広いほど歪曲は生じやすいが、本発明の撮像レンズは、上記歪曲の最適化により、歪曲が生じていてもそれが目立たなくなる。このため、本発明の撮像レンズは、最大画角が６２°を超えるような、広い画角の撮像レンズに対して有効である。
【００３０】
また、本発明の撮像レンズは、物体側から像面側へと向かって順に、開口絞り、正の屈折力を有する第１レンズ、および、第２レンズを備えており、上記第１レンズは、物体側に凸面を向けたメニスカスレンズであり、上記第２レンズは、物体側に向けた面が凹形状であることを特徴としている。
【００３１】
上記の構成によれば、少ないレンズ枚数で、所望の解像力を有し、歪曲の目立ちにくい良好な解像感が得られる、本発明の撮像レンズを、第１レンズおよび第２レンズという、２枚のレンズで構成することができる。
【００３２】
また、本発明の撮像レンズは、上記第２レンズにおける像面側に向けた面は、撮像レンズ自身の光軸の上を除く部分において、該光軸の法線方向に対する面傾斜の最大角度が６０°以上であることを特徴としている。
【００３３】
上記の構成によれば、撮像レンズは、条件式（３）を満足させやすくなる。一方、上記光軸の法線方向に対する面傾斜の最大角度が６０°未満である場合、撮像レンズは、ｄｉｓｔＣが大きくなって、条件式（３）を満足させることが困難となる。また、上記の構成によれば、該面傾斜を大きくすることで、像の周辺に対する、収差の良好な補正が容易となる。
【００３４】
また、本発明の撮像レンズは、Ｆナンバーは、３．２未満であることを特徴としている。
【００３５】
上記の構成によれば、明るい像を得ることができる。なお、本発明の撮像レンズでは、像の周辺に対する歪曲の特性を負の値とすることで、像における周辺光量比を高くすることができる。
【００３６】
また、本発明の撮像モジュールは、本発明の撮像レンズと、上記受光部を有している固体撮像素子と、を備えることを特徴としている。
【００３７】
上記の構成によれば、本発明の撮像モジュールは、自身に備えられた本発明の撮像レンズと同様の効果を奏するため、少ないレンズ枚数であっても良好な解像力を有する、安価なデジタルカメラを実現することが可能となる。
【００３８】
また、本発明の撮像モジュールは、上記固体撮像素子の画素数は、１００万画素を超えていることを特徴としている。
【００３９】
上記の構成によれば、撮像レンズの解像力に適した固体撮像素子を備えることにより、良好な解像力を有する撮像モジュールを得ることができる。なお、本発明の撮像モジュールは、１．３Ｍ（メガ）の固体撮像素子を備えることが好適である。
【００４０】
また、本発明の撮像モジュールは、上記固体撮像素子の画素のピッチは、２．５μｍ未満であることを特徴としている。
【００４１】
上記の構成によれば、画素のピッチが２．５μｍ未満である固体撮像素子を用いてセンサを構成することにより、高画素の撮像素子の性能を十分活かした撮像モジュールを実現することができる。
【００４２】
また、本発明の撮像モジュールは、上記撮像レンズを構成する最も像面側のレンズを同一面上に複数備えたレンズアレイと、上記固体撮像素子を同一面上に複数備えたセンサアレイとを、各レンズと各固体撮像素子とが１対１に対応して対向配置されるように接合した後、上記対向配置された、上記レンズと固体撮像素子との組を単位として分割して製造されたものであることを特徴としている。
【００４３】
また、本発明の撮像モジュールは、上記撮像レンズは、複数のレンズから構成されるものであって、上記撮像レンズを構成する、隣り合うレンズの一方を同一面上に複数備えた第１レンズアレイと、上記隣り合うレンズの他方を同一面上に複数備えた第２レンズアレイとを、上記第１レンズアレイに備えられた各レンズと、上記第２レンズアレイに備えられた各レンズとが１対１に対応して対向配置されるように貼り合せた後、上記対向配置されたレンズの組を単位として分割して製造されたものであることを特徴としている。
【００４４】
上記の構成によれば、大量の撮像モジュールを一括して、かつ短時間で製造することが可能となるため、撮像モジュールの製造コストは、低減することが可能となる。本発明の撮像モジュールは、少ないレンズ枚数で撮像レンズを実現することで、部品削減によるコストの低下が可能であると共に、上記のような安価な製造方法が適用でき、これらの相乗効果でより安価に製造できる。特に、本発明に係る撮像レンズにおいて、レンズの枚数を少なくして、レンズアレイを貼り合せる工程を削減することにより、本発明の撮像モジュールにおいては、製造誤差が発生し得る要因も減るため、より効果的なコスト削減が期待できる。
【００４５】
また、本発明の撮像モジュールは、上記撮像レンズを構成するレンズの少なくとも１つは、熱硬化性樹脂または紫外線硬化性樹脂から成ることを特徴としている。
【００４６】
上記の構成によれば、本発明の撮像レンズを構成するレンズの少なくとも１つを、熱硬化性樹脂またはＵＶ（Ultra Violet：紫外線）硬化性樹脂から成る構成とすることにより、本発明の撮像モジュールの製造段階において、複数のレンズを樹脂に成形して、レンズアレイを作製することが可能となり、さらに、撮像レンズをリフロー実装することが可能となる。
【００４７】
上記の構成によれば、実装コストを下げることを目的とする、熱硬化性樹脂または紫外線硬化性樹脂から成るレンズと、少ないレンズ枚数で光学系を実現する本発明の撮像レンズまたは撮像モジュールと、を併せて適用することで、より効果的なコスト削減が可能となる。
【発明の効果】
【００４８】
以上のとおり、本発明の撮像レンズは、入射された光を、短辺の寸法と長辺の寸法との比率がａ：ｂである四角形状の受光部に対して導く撮像レンズであって、条件式（１）〜（５）を満足するように、上記歪曲のそれぞれが調整されている。
【００４９】
従って、本発明は、少ないレンズ枚数で、所望の解像力を有し、歪曲の目立ちにくい良好な解像感が得られるという効果を奏する。
【図面の簡単な説明】
【００５０】
【図１】本発明の、一実施の形態に係る撮像レンズの構成を示す断面図である。
【図２】本発明の、一実施の形態に係る撮像レンズの構成を示す断面図である。
【図３】本発明の、一実施の形態に係る撮像レンズの構成を示す断面図である。
【図４】本発明の、一実施の形態に係る撮像レンズの構成を示す断面図である。
【図５】図１〜図４に示す各撮像レンズと組み合わされる固体撮像素子の概略構成を示す上面図である。
【図６】図１に示す撮像レンズの、ＭＴＦ（Modulation Transfer Function：変調伝達関数）‐空間周波数特性を示すグラフである。
【図７】図１に示す撮像レンズの、デフォーカスＭＴＦを示すグラフである。
【図８】図１に示す撮像レンズの、ＭＴＦ‐像高特性を示すグラフである。
【図９】図９（ａ）は、図１に示す撮像レンズの、像高−歪曲特性を示すグラフであり、図９（ｂ）は、図１に示す撮像レンズが結像した格子像のイメージ図である。
【図１０】図２に示す撮像レンズの、ＭＴＦ‐空間周波数特性を示すグラフである。
【図１１】図２に示す撮像レンズの、デフォーカスＭＴＦを示すグラフである。
【図１２】図２に示す撮像レンズの、ＭＴＦ‐像高特性を示すグラフである。
【図１３】図１３（ａ）は、図２に示す撮像レンズの、像高−歪曲特性を示すグラフであり、図１３（ｂ）は、図２に示す撮像レンズが結像した格子像のイメージ図である。
【図１４】図３に示す撮像レンズの、ＭＴＦ‐空間周波数特性を示すグラフである。
【図１５】図３に示す撮像レンズの、デフォーカスＭＴＦを示すグラフである。
【図１６】図３に示す撮像レンズの、ＭＴＦ‐像高特性を示すグラフである。
【図１７】図１７（ａ）は、図３に示す撮像レンズの、像高−歪曲特性を示すグラフであり、図１７（ｂ）は、図３に示す撮像レンズが結像した格子像のイメージ図である。
【図１８】図４に示す撮像レンズの、ＭＴＦ‐空間周波数特性を示すグラフである。
【図１９】図４に示す撮像レンズの、デフォーカスＭＴＦを示すグラフである。
【図２０】図４に示す撮像レンズの、ＭＴＦ‐像高特性を示すグラフである。
【図２１】図２１（ａ）は、図４に示す撮像レンズの、像高−歪曲特性を示すグラフであり、図２１（ｂ）は、図４に示す撮像レンズが結像した格子像のイメージ図である。
【図２２】図１に示す撮像レンズの設計データを示した表である。
【図２３】図２に示す撮像レンズの設計データを示した表である。
【図２４】図３に示す撮像レンズの設計データを示した表である。
【図２５】図４に示す撮像レンズの設計データを示した表である。
【図２６】図１〜図４に示す各撮像レンズに対して、像面に固体撮像素子を配置して構成した、撮像モジュールの仕様の一例を示した表である。
【図２７】図２７（ａ）〜（ｄ）は、本発明の撮像レンズおよび撮像モジュールの製造方法の一例を示す断面図である。
【図２８】図２８（ａ）〜（ｄ）は、本発明の撮像レンズおよび撮像モジュールの製造方法の別の例を示す断面図である。
【発明を実施するための形態】
【００５１】
以下、本発明の一実施の形態に係る撮像レンズ１について説明する。撮像レンズ１には、その具体的な設計に応じて、撮像レンズ１００、撮像レンズ２００、撮像レンズ３００、および、撮像レンズ４００の４種類がある。なお、以下「撮像レンズ１」と表記する場合は、撮像レンズ１００、撮像レンズ２００、撮像レンズ３００、および、撮像レンズ４００の総称とする。
【００５２】
図１は、撮像レンズ１００の構成を示す断面図である。
【００５３】
図２は、撮像レンズ２００の構成を示す断面図である。
【００５４】
図３は、撮像レンズ３００の構成を示す断面図である。
【００５５】
図４は、撮像レンズ４００の構成を示す断面図である。
【００５６】
撮像レンズ１００、撮像レンズ２００、撮像レンズ３００、および、撮像レンズ４００は、それぞれ以下の基本構成を有している。
【００５７】
〔撮像レンズ１の基本構成〕
図１〜図４はいずれも、撮像レンズ１の、Ｙ（紙面上下）方向およびＺ（紙面左右）方向から成る断面を示した図である。Ｚ方向は、物体３側から像面Ｓ７側への方向、ならびに、像面Ｓ７側から物体３側への方向を示しており、撮像レンズ１の光軸Ｌａは、このＺ方向に伸びている。撮像レンズ１の光軸Ｌａに対する法線方向は、ある光軸Ｌａ上から、Ｘ（紙面に対して垂直である）方向およびＹ方向から成る面上を一直線に伸びていく方向である。
【００５８】
撮像レンズ１は、物体３側から像面Ｓ７側へと向かって順に、開口絞り２、第１レンズＬ１、第２レンズＬ２、および、カバーガラスＣＧを備えて構成されたものである。
【００５９】
開口絞り２は、具体的に、第１レンズＬ１における物体３側に向けた面（物体側面）Ｓ１の周囲に設けられている。開口絞り２は、撮像レンズ１に入射した光が、第１レンズＬ１、および、第２レンズＬ２を適切に通過することを可能とするために、入射した光の軸上光線束の直径を制限することを目的に設けられている。
【００６０】
物体３は、撮像レンズ１が結像する対象物であり、換言すれば、撮像レンズ１が撮像対象とする被写体である。図１〜図４では便宜上、物体３と撮像レンズ１とが非常に近接しているように図示されているが、実際、物体３と撮像レンズ１とは、その間隔が例えば１０００ｍｍ程度離れている。
【００６１】
第１レンズＬ１は、正の屈折力を有している、周知のメニスカスレンズである。第１レンズＬ１は、物体３側に向けた面Ｓ１が、該メニスカスレンズの凸面に対応し、像面Ｓ７側に向けた面（像側面）Ｓ２が、該メニスカスレンズの凹面に対応する。第１レンズＬ１は、面Ｓ１および面Ｓ２が非球面形状であるのが好ましく、これにより、撮像レンズ１において発生し得る諸収差を、より良好に補正することが容易となる。
【００６２】
レンズの凹面とは、レンズが中空に曲がっている部分、すなわち、レンズが内側に曲がっている部分を示している。レンズの凸面とは、レンズの球状表面が外側に曲がっている部分を示している。
【００６３】
ここで、厳密に言えば、開口絞り２は、第１レンズＬ１の凸形状である面Ｓ１が、開口絞り２よりも物体３側に突出するように設けられているが、このように面Ｓ１が開口絞り２よりも物体３側に突出しているか否かについては特に限定されない。開口絞り２は、その代表的な位置が、第１レンズＬ１における代表的な位置よりも物体３側となるような配置関係でさえあれば十分である。
【００６４】
第２レンズＬ２は、正または負の屈折力を有しているレンズである。また、第２レンズＬ２は、物体３側に向けた面Ｓ３が凹形状である。面Ｓ４は、第２レンズＬ２における、像面Ｓ７側に向けた面である。第２レンズＬ２は、面Ｓ３および面Ｓ４のうち少なくとも一方が非球面形状であるのが好ましく、これにより、撮像レンズ１において発生し得る諸収差を、より良好に補正することが容易となる。
【００６５】
カバーガラスＣＧは、第２レンズＬ２と像面Ｓ７との間に設けられている。カバーガラスＣＧは、像面Ｓ７に対して被覆されることで、物理的ダメージ等から像面Ｓ７を保護するためのものである。カバーガラスＣＧは、物体３側に向けた面（物体側面）Ｓ５と、像面Ｓ７側に向けた面（像側面）Ｓ６と、を有している。
【００６６】
像面Ｓ７は、撮像レンズ１の光軸Ｌａに対して垂直で、像が形成される面であり、実像は、像面Ｓ７に置かれた図示しないスクリーン上で観察することができる。
【００６７】
また、撮像レンズ１を備えた撮像モジュールにおいては、上記像面Ｓ７にセンサ（固体撮像素子）４が配置される。
【００６８】
センサ４は、撮像レンズ１における、像面Ｓ７に配置されているものであり、撮像レンズ１によって物体３を結像して形成された像を、光信号として受光し、この光信号を電気信号へと変換するものである。センサ４は、ＣＣＤ（Charge Coupled Device：電荷結合素子）またはＣＭＯＳ（Complementary Metal Oxide Semiconductor：相補型金属酸化膜半導体）により構成される固体撮像素子に代表される、周知の電子撮像素子等で構成されている。
【００６９】
図５は、センサ４の、物体３側に向けた面であって、Ｙ（紙面上下）方向およびＸ（紙面左右）方向から成る断面を示している。なお、図５のＸ方向は図１〜図４の各図のＸ方向と、図５のＹ方向は図１〜図４の各図のＹ方向と、図５のＺ方向は図１〜図４の各図のＺ方向と、それぞれ同じ方向を示しており、図５は、図１〜図４に係るセンサ４の上面図であると解釈することができる。
【００７０】
撮像レンズ１は、入射された光を、センサ４の受光部５へと導くものである。
【００７１】
図５に示すとおり、センサ４は、受光部５が長方形（四角形状）となっており、該長方形の短辺の寸法は、ａのＪ倍であり、長辺の寸法は、ｂのＪ倍である。ここで、ａ、ｂ、および、Ｊは、任意の正数である。従って、該長方形における、長辺の寸法と短辺の寸法との比率は、ｂ：ａである。以下、この比率ｂ：ａを、「アスペクト比」と称する。
【００７２】
以上の基本構成である撮像レンズ１は、以下の条件式（１）〜（５）を満足している。
【００７３】
【数６】
2011248319.tif 000008
【００７４】
【数７】
2011248319.tif 000009
【００７５】
【数８】
2011248319.tif 000010
【００７６】
【数９】
2011248319.tif 000011
【００７７】
【数１０】
2011248319.tif 000012
【００７８】
ただし、
ｄｉｓｔＡ・・・撮像レンズ１の、像の中心から最大像高のＡ割に該当する高さにおける歪曲
ｄｉｓｔＢ・・・撮像レンズ１の、像の中心から最大像高のＢ割に該当する高さにおける歪曲
ｄｉｓｔＣ・・・撮像レンズ１の、最大像高における歪曲
撮像レンズ１は、歪曲を良好に補正することが困難である場合においても、歪曲の目立ちにくい光学系を実現することが可能となる。
【００７９】
ｄｉｓｔＡ≦２．０％である場合、撮像レンズは、歪曲を良好に補正することが容易であるため、そもそも、本発明に係る構成を適用する必要が無い。
【００８０】
５．０％≦ｄｉｓｔＡである場合、撮像レンズは、あまりに歪曲が大きすぎて、歪曲が目立ってしまう。
【００８１】
ｄｉｓｔＡ−ｄｉｓｔＢ≦０．５％である場合、撮像レンズは、歪曲を良好に補正することが容易であるため、そもそも、本発明に係る構成を適用する必要が無い。
【００８２】
１．４％≦ｄｉｓｔＡ−ｄｉｓｔＢである場合、撮像レンズは、あまりに歪曲が大きすぎて、歪曲が目立ってしまう。
【００８３】
０％≦ｄｉｓｔＣ−ｄｉｓｔＢである場合、撮像レンズは、陣笠のような形状の歪曲が生じ、歪曲が目立ってしまう。
【００８４】
すなわち、本願発明者らは、鋭意検討の結果、以上の各問題点を見出し、これらの問題点を克服すべく、条件式（１）〜（５）を満足させるという、撮像レンズ１の特徴的構成に想到した。
【００８５】
以上のことから、撮像レンズ１は、少ないレンズ枚数で、所望の解像力を有し、歪曲の目立ちにくい良好な解像感が得られるものであると言える。
【００８６】
また、条件式（３）は、像高ｈ１．０における歪曲であるｄｉｓｔＣを、比較的大きな値まで許容するため、撮像レンズ１の広い画角に起因して、光軸Ｌａから遠い位置での歪曲が大きくなってしまう場合であっても、容易に満足させることができる。
【００８７】
また、撮像レンズ１は、最大画角（画角の最大値）が６２°を超えているのが好ましい。
【００８８】
撮像レンズにおいては、画角が広いほど歪曲は生じやすいが、撮像レンズ１は、歪曲の最適化により、歪曲が生じていてもそれが目立たなくなる。このため、撮像レンズ１は、最大画角が６２°を超えるような、広い画角の撮像レンズに対して有効である。
【００８９】
図１〜図４に示す、撮像レンズ１の基本構成は、少ないレンズ枚数で、所望の解像力を有し、歪曲の目立ちにくい良好な解像感が得られる撮像レンズを、第１レンズＬ１および第２レンズＬ２という、２枚のレンズで実現することができる。
【００９０】
また、撮像レンズ１は、第２レンズＬ２における像面Ｓ７側に向けた面Ｓ４は、撮像レンズ１の光軸Ｌａの上を除く部分において、該光軸Ｌａの法線方向、すなわち、Ｘ方向またはＹ方向（図１〜図４では、Ｙ方向）に対する面傾斜の最大角度θが６０°以上である。図１〜図４では、上記最大角度θは、面Ｓ４の端部の角度となっている。
【００９１】
これにより、撮像レンズ１は、条件式（３）を満足させやすくなる。一方、上記光軸Ｌａの法線方向に対する面傾斜の最大角度θが６０°未満である場合、撮像レンズは、ｄｉｓｔＣが大きくなって、条件式（３）を満足させることが困難となる。また、上記の構成によれば、該面傾斜を大きくすることで、像の周辺に対する、収差の良好な補正が容易となる。
【００９２】
また、撮像レンズ１は、Ｆナンバーが３．２未満であるのが好ましい。Ｆナンバーとは、光学系の明るさを示す量の一種である。撮像レンズ１のＦナンバーは、撮像レンズ１の等価焦点距離を、撮像レンズ１の入射瞳径で割った値で表される。
【００９３】
これにより、撮像レンズ１では、入射された光を結像して、明るい像を得ることができる。なお、撮像レンズ１では、像の周辺に対する歪曲の特性を負の値とすることで、像における周辺光量比を高くすることができる。
【００９４】
本実施の形態において、受光部５は、長方形であるが、長辺および短辺を有している四角形であれば十分であり、例えば、平行四辺形であってもよい。
【００９５】
図１〜図４に示した撮像レンズ１はいずれも、２枚のレンズ（第１レンズＬ１および第２レンズＬ２）によって構成されたものであるが、本発明の撮像レンズは、１枚のレンズによって構成されたものであってもよいし、３枚以上のレンズによって構成されたものであってもよい。
【００９６】
〔撮像レンズ１００の光学特性〕
図６は、撮像レンズ１００の、縦軸に示したＭＴＦ（単位：無）と、横軸に示した空間周波数（単位：ｌｐ／ｍｍ）と、の関係を示すグラフである。
【００９７】
図７は、撮像レンズ１００の、デフォーカスＭＴＦ、すなわち、縦軸に示したＭＴＦと、横軸に示したフォーカスシフト位置（単位：ｍｍ）と、の関係を示すグラフである。
【００９８】
図８は、撮像レンズ１００の、縦軸に示したＭＴＦと、横軸に示した像高（単位：ｍｍ）と、の関係を示すグラフである。
【００９９】
図９（ａ）は、撮像レンズ１００の、縦軸に示した像高（単位：割合、すなわち、ｈ０〜ｈ１．０）と、横軸に示した歪曲（単位：％）と、の関係を示すグラフであり、図９（ｂ）は、撮像レンズ１００が結像した格子像のイメージ図である。
【０１００】
なお、本実施の形態に示す像高は、撮像レンズ１によって物体３を結像して形成された像の中心を基準とした像の高さを、絶対値で、または、最大像高に対する割合で表現している。像高を、最大像高に対する割合で表現している場合、絶対値と該割合との間に、それぞれ、以下の対応関係を有しているものとする。
【０１０１】
０．００００ｍｍ＝像高ｈ０（像の中心）
０．１４３４ｍｍ＝像高ｈ０．１（像の中心から、最大像高の１割に該当する高さ）
０．２８６８ｍｍ＝像高ｈ０．２（像の中心から、最大像高の２割に該当する高さ）
０．５７３６ｍｍ＝像高ｈ０．４（像の中心から、最大像高の４割に該当する高さ）
０．８６０４ｍｍ＝像高ｈ０．６（像の中心から、最大像高の６割に該当する高さ）
１．１４７ｍｍ＝像高ｈ０．８（像の中心から、最大像高の８割に該当する高さ）
１．４３４ｍｍ＝像高ｈ１．０（最大像高）
但し、光学特性の測定の便宜上、ｍｍ（絶対値）で表記された像高は、対応する像高ｈ○○（割合）で表記された像高との間で、０．００１ｍｍ以内の誤差が存在する場合がある。
【０１０２】
図６、さらには後述する図１０、図１４、および図１８はいずれも、空間周波数が０〜「ナイキスト周波数／２」である場合の、像高ｈ０、像高ｈ０．２、像高ｈ０．４、像高ｈ０．６、像高ｈ０．８、および、像高ｈ１．０の各々に関する、タンジェンシャル像面（Ｔ）およびサジタル像面（Ｓ）における各特性を例示している。
【０１０３】
図７、さらには後述する図１１、図１５、および図１９はいずれも、空間周波数が「ナイキスト周波数／４」である場合の、像高ｈ０、像高ｈ０．２、像高ｈ０．４、像高ｈ０．６、像高ｈ０．８、および、像高ｈ１．０の各々に関する、タンジェンシャル像面（Ｔ）およびサジタル像面（Ｓ）における各特性を例示している。
【０１０４】
図８、さらには後述する図１２、図１６、および図２０はいずれも、空間周波数が「ナイキスト周波数／４」、および、「ナイキスト周波数／２」である場合の、像高ｈ０〜像高ｈ１．０に関する、タンジェンシャル像面およびサジタル像面における各特性を例示している。
【０１０５】
図９（ａ）、さらには後述する図１３（ａ）、図１７（ａ）、および図２１（ａ）はいずれも、波長５４６．０７ｎｍの光に対する歪曲（ディストーション）の特性を例示している。
【０１０６】
なお、上記ナイキスト周波数は、センサ４のナイキスト周波数に対応する値とされており、センサ４の画素ピッチから計算される、解像可能な空間周波数の値である。具体的に、センサ４のナイキスト周波数Ｎｙｑ．（単位：ｌｐ／ｍｍ）は、
Ｎｙｑ．＝１／（センサ４の画素ピッチ）／２
により算出される。撮像レンズ１の各光学特性を測定するにあたって、センサ４としては、１．３Ｍ（メガ）クラスであり、サイズが１／６型であり、画素のサイズ（画素ピッチ）が１．７５μｍであり、Ｄ（対角）のサイズが２．８６９ｍｍであり、Ｈ（水平）のサイズが２．２４０ｍｍであり、Ｖ（垂直）のサイズが１．７９２ｍｍであるものを適用するものとしている。
【０１０７】
また、撮像レンズ１の各光学特性を得るために、物体距離が１０００ｍｍであると仮定すると共に、図示しないシミュレーション光源として、次の重みづけによる（白色を構成する各波長の混合割合が、下記のように調整された）白色光を用いた。
【０１０８】
４０４．６６ｎｍ＝０．１３
４３５．８４ｎｍ＝０．４９
４８６．１３２７ｎｍ＝１．５７
５４６．０７ｎｍ＝３．１２
５８７．５６１８ｎｍ＝３．１８
６５６．２７２５ｎｍ＝１．５１
図６に示すとおり、撮像レンズ１００は、像高ｈ０〜像高ｈ１．０のどの像高でも、タンジェンシャル像面およびサジタル像面共に、０．２以上の高いＭＴＦ特性を有しており、撮像レンズ１００によって物体３を結像して形成された像の中心から周辺まで、優れた解像力を有していると言える。
【０１０９】
図７に示すとおり、撮像レンズ１００は、０ｍｍのフォーカスシフト位置に該当する像面Ｓ７（図１参照）において、像高ｈ０〜像高ｈ１．０のどの像高でも、タンジェンシャル像面およびサジタル像面共に、０．２以上の高いＭＴＦ特性を有しており、撮像レンズ１００によって物体３を結像して形成された像の中心から周辺まで、優れた解像力を有していると言える。
【０１１０】
図８に示すとおり、撮像レンズ１００は、「ナイキスト周波数／４」に相当する空間周波数のサジタル像面のＭＴＦを示すグラフ８１、および、同空間周波数のタンジェンシャル像面のＭＴＦを示すグラフ８２に関して、像高ｈ０〜像高ｈ１．０（１．４３４ｍｍ）のどの像高でも、０．２以上の高いＭＴＦ特性を有している。同様に、撮像レンズ１００は、「ナイキスト周波数／２」に相当する空間周波数のサジタル像面のＭＴＦを示すグラフ８３、および、同空間周波数のタンジェンシャル像面のＭＴＦを示すグラフ８４に関して、像高ｈ０〜像高ｈ１．０（１．４３４ｍｍ）のどの像高でも、０．２以上の高いＭＴＦ特性を有している。従って、撮像レンズ１００は、撮像レンズ１００によって物体３を結像して形成された像の中心から周辺まで、優れた解像力を有していると言える。
【０１１１】
図９（ａ）には、アスペクト比が４：３である受光部５を有するセンサ４を、撮像レンズ１００と組み合わせた場合に、撮像レンズ１００が条件式（１）〜（３）を満足することを、併せて図示している。
【０１１２】
図９（ａ）を参照すると、条件式（１）は、像高ｈ０．６（像高ｈＡ）における歪曲ｄｉｓｔＡが、２．０％〜５．０％の範囲内である、ということを意味している。
【０１１３】
図９（ａ）を参照すると、条件式（２）は、像高ｈ０．８（像高ｈＢ）における歪曲ｄｉｓｔＢが、歪曲ｄｉｓｔＡよりも、０．５％〜１．４％小さい、ということを意味している。
【０１１４】
図９（ａ）を参照すると、条件式（３）は、像高ｈ１．０における歪曲ｄｉｓｔＣが、歪曲ｄｉｓｔＢよりも小さい、ということを意味している。
【０１１５】
図９（ｂ）のイメージ図には、格子を撮像して得られた画像の歪みを示している。すなわち、図９（ｂ）は、矩形格子状の物体が、撮像レンズ１００により、全体的にどのような歪曲を有して結像されるのかを示している。図９（ｂ）に示す格子像は、視覚的には歪曲がそれほど大きく見えないので、撮像レンズ１００は、実使用上、歪曲の目立ちにくい良好な解像感が得られるものであると言える。
【０１１６】
〔撮像レンズ２００の光学特性〕
図１０は、撮像レンズ２００の、縦軸に示したＭＴＦ（単位：無）と、横軸に示した空間周波数（単位：ｌｐ／ｍｍ）と、の関係を示すグラフである。
【０１１７】
図１１は、撮像レンズ２００の、デフォーカスＭＴＦ、すなわち、縦軸に示したＭＴＦと、横軸に示したフォーカスシフト位置（単位：ｍｍ）と、の関係を示すグラフである。
【０１１８】
図１２は、撮像レンズ２００の、縦軸に示したＭＴＦと、横軸に示した像高（単位：ｍｍ）と、の関係を示すグラフである。
【０１１９】
図１３（ａ）は、撮像レンズ２００の、縦軸に示した像高（単位：割合、すなわち、ｈ０〜ｈ１．０）と、横軸に示した歪曲（単位：％）と、の関係を示すグラフであり、図１３（ｂ）は、撮像レンズ２００が結像した格子像のイメージ図である。
【０１２０】
図１０に示すとおり、撮像レンズ２００は、像高ｈ０〜像高ｈ１．０のどの像高でも、タンジェンシャル像面およびサジタル像面共に、０．２以上の高いＭＴＦ特性を有しており、撮像レンズ２００によって物体３を結像して形成された像の中心から周辺まで、優れた解像力を有していると言える。
【０１２１】
図１１に示すとおり、撮像レンズ２００は、０ｍｍのフォーカスシフト位置に該当する像面Ｓ７（図２参照）において、像高ｈ０〜像高ｈ１．０のどの像高でも、タンジェンシャル像面およびサジタル像面共に、０．２以上の高いＭＴＦ特性を有しており、撮像レンズ２００によって物体３を結像して形成された像の中心から周辺まで、優れた解像力を有していると言える。
【０１２２】
図１２に示すとおり、撮像レンズ２００は、「ナイキスト周波数／４」に相当する空間周波数のサジタル像面のＭＴＦを示すグラフ１２１、および、同空間周波数のタンジェンシャル像面のＭＴＦを示すグラフ１２２に関して、像高ｈ０〜像高ｈ１．０（１．４３４ｍｍ）のどの像高でも、０．２以上の高いＭＴＦ特性を有している。同様に、撮像レンズ２００は、「ナイキスト周波数／２」に相当する空間周波数のサジタル像面のＭＴＦを示すグラフ１２３、および、同空間周波数のタンジェンシャル像面のＭＴＦを示すグラフ１２４に関して、像高ｈ０〜像高ｈ１．０（１．４３４ｍｍ）のどの像高でも、０．２以上の高いＭＴＦ特性を有している。従って、撮像レンズ２００は、撮像レンズ２００によって物体３を結像して形成された像の中心から周辺まで、優れた解像力を有していると言える。
【０１２３】
図１３（ａ）には、図９（ａ）と同様の要領で、アスペクト比が４：３である受光部５を有するセンサ４を、撮像レンズ２００と組み合わせた場合に、撮像レンズ２００が条件式（１）〜（３）を満足することを、併せて図示している。
【０１２４】
図１３（ａ）を参照すると、条件式（１）は、像高ｈ０．６（像高ｈＡ）における歪曲ｄｉｓｔＡが、２．０％〜５．０％の範囲内である、ということを意味している。
【０１２５】
図１３（ａ）を参照すると、条件式（２）は、像高ｈ０．８（像高ｈＢ）における歪曲ｄｉｓｔＢが、歪曲ｄｉｓｔＡよりも、０．５％〜１．４％小さい、ということを意味している。
【０１２６】
図１３（ａ）を参照すると、条件式（３）は、像高ｈ１．０における歪曲ｄｉｓｔＣが、歪曲ｄｉｓｔＢよりも小さい、ということを意味している。
【０１２７】
図１３（ｂ）のイメージ図には、図９（ｂ）と同様の要領で、格子を撮像して得られた画像の歪みを示している。すなわち、図１３（ｂ）は、矩形格子状の物体が、撮像レンズ２００により、全体的にどのような歪曲を有して結像されるのかを示している。図１３（ｂ）に示す格子像は、視覚的には歪曲がそれほど大きく見えないので、撮像レンズ２００は、実使用上、歪曲の目立ちにくい良好な解像感が得られるものであると言える。
【０１２８】
〔撮像レンズ３００の光学特性〕
図１４は、撮像レンズ３００の、縦軸に示したＭＴＦ（単位：無）と、横軸に示した空間周波数（単位：ｌｐ／ｍｍ）と、の関係を示すグラフである。
【０１２９】
図１５は、撮像レンズ３００の、デフォーカスＭＴＦ、すなわち、縦軸に示したＭＴＦと、横軸に示したフォーカスシフト位置（単位：ｍｍ）と、の関係を示すグラフである。
【０１３０】
図１６は、撮像レンズ３００の、縦軸に示したＭＴＦと、横軸に示した像高（単位：ｍｍ）と、の関係を示すグラフである。
【０１３１】
図１７（ａ）は、撮像レンズ３００の、縦軸に示した像高（単位：割合、すなわち、ｈ０〜ｈ１．０）と、横軸に示した歪曲（単位：％）と、の関係を示すグラフであり、図１７（ｂ）は、撮像レンズ３００が結像した格子像のイメージ図である。
【０１３２】
図１４に示すとおり、撮像レンズ３００は、像高ｈ０〜像高ｈ１．０のどの像高でも、タンジェンシャル像面およびサジタル像面共に、０．２以上の高いＭＴＦ特性を有しており、撮像レンズ３００によって物体３を結像して形成された像の中心から周辺まで、優れた解像力を有していると言える。
【０１３３】
図１５に示すとおり、撮像レンズ３００は、０ｍｍのフォーカスシフト位置に該当する像面Ｓ７（図３参照）において、像高ｈ０〜像高ｈ１．０のどの像高でも、タンジェンシャル像面およびサジタル像面共に、０．２以上の高いＭＴＦ特性を有しており、撮像レンズ３００によって物体３を結像して形成された像の中心から周辺まで、優れた解像力を有していると言える。
【０１３４】
図１６に示すとおり、撮像レンズ３００は、「ナイキスト周波数／４」に相当する空間周波数のサジタル像面のＭＴＦを示すグラフ１６１、および、同空間周波数のタンジェンシャル像面のＭＴＦを示すグラフ１６２に関して、像高ｈ０〜像高ｈ１．０（１．４３４ｍｍ）のどの像高でも、０．２以上の高いＭＴＦ特性を有している。同様に、撮像レンズ３００は、「ナイキスト周波数／２」に相当する空間周波数のサジタル像面のＭＴＦを示すグラフ１６３、および、同空間周波数のタンジェンシャル像面のＭＴＦを示すグラフ１６４に関して、像高ｈ０〜像高ｈ１．０（１．４３４ｍｍ）のどの像高でも、０．２以上の高いＭＴＦ特性を有している。従って、撮像レンズ３００は、撮像レンズ３００によって物体３を結像して形成された像の中心から周辺まで、優れた解像力を有していると言える。
【０１３５】
図１７（ａ）には、図９（ａ）と同様の要領で、アスペクト比が４：３である受光部５を有するセンサ４を、撮像レンズ３００と組み合わせた場合に、撮像レンズ３００が条件式（１）〜（３）を満足することを、併せて図示している。
【０１３６】
図１７（ａ）を参照すると、条件式（１）は、像高ｈ０．６（像高ｈＡ）における歪曲ｄｉｓｔＡが、２．０％〜５．０％の範囲内である、ということを意味している。
【０１３７】
図１７（ａ）を参照すると、条件式（２）は、像高ｈ０．８（像高ｈＢ）における歪曲ｄｉｓｔＢが、歪曲ｄｉｓｔＡよりも、０．５％〜１．４％小さい、ということを意味している。
【０１３８】
図１７（ａ）を参照すると、条件式（３）は、像高ｈ１．０における歪曲ｄｉｓｔＣが、歪曲ｄｉｓｔＢよりも小さい、ということを意味している。
【０１３９】
図１７（ｂ）のイメージ図には、図９（ｂ）と同様の要領で、格子を撮像して得られた画像の歪みを示している。すなわち、図１７（ｂ）は、矩形格子状の物体が、撮像レンズ３００により、全体的にどのような歪曲を有して結像されるのかを示している。図１７（ｂ）に示す格子像は、視覚的には歪曲がそれほど大きく見えないので、撮像レンズ３００は、実使用上、歪曲の目立ちにくい良好な解像感が得られるものであると言える。
【０１４０】
〔撮像レンズ４００の光学特性〕
図１８は、撮像レンズ４００の、縦軸に示したＭＴＦ（単位：無）と、横軸に示した空間周波数（単位：ｌｐ／ｍｍ）と、の関係を示すグラフである。
【０１４１】
図１９は、撮像レンズ４００の、デフォーカスＭＴＦ、すなわち、縦軸に示したＭＴＦと、横軸に示したフォーカスシフト位置（単位：ｍｍ）と、の関係を示すグラフである。
【０１４２】
図２０は、撮像レンズ４００の、縦軸に示したＭＴＦと、横軸に示した像高（単位：ｍｍ）と、の関係を示すグラフである。
【０１４３】
図２１（ａ）は、撮像レンズ４００の、縦軸に示した像高（単位：割合、すなわち、ｈ０〜ｈ１．０）と、横軸に示した歪曲（単位：％）と、の関係を示すグラフであり、図２１（ｂ）は、撮像レンズ４００が結像した格子像のイメージ図である。
【０１４４】
図１８に示すとおり、撮像レンズ４００は、像高ｈ０〜像高ｈ１．０のどの像高でも、タンジェンシャル像面およびサジタル像面共に、０．２以上の高いＭＴＦ特性を有しており、撮像レンズ４００によって物体３を結像して形成された像の中心から周辺まで、優れた解像力を有していると言える。
【０１４５】
図１９に示すとおり、撮像レンズ４００は、０ｍｍのフォーカスシフト位置に該当する像面Ｓ７（図４参照）において、像高ｈ０〜像高ｈ１．０のどの像高でも、タンジェンシャル像面およびサジタル像面共に、０．２以上の高いＭＴＦ特性を有しており、撮像レンズ４００によって物体３を結像して形成された像の中心から周辺まで、優れた解像力を有していると言える。
【０１４６】
図２０に示すとおり、撮像レンズ４００は、「ナイキスト周波数／４」に相当する空間周波数のサジタル像面のＭＴＦを示すグラフ２０１、および、同空間周波数のタンジェンシャル像面のＭＴＦを示すグラフ２０２に関して、像高ｈ０〜像高ｈ１．０（１．４３４ｍｍ）のどの像高でも、０．２以上の高いＭＴＦ特性を有している。同様に、撮像レンズ４００は、「ナイキスト周波数／２」に相当する空間周波数のサジタル像面のＭＴＦを示すグラフ２０３に関して、像高ｈ０〜像高ｈ１．０（１．４３４ｍｍ）のどの像高でも、０．２以上の高いＭＴＦ特性を有している。
【０１４７】
なお、撮像レンズ４００は、図２０に示す、「ナイキスト周波数／２」に相当する空間周波数のタンジェンシャル像面のＭＴＦを示すグラフ２０４に関して、像高ｈ０．９（１．２９１ｍｍ）付近で、ＭＴＦが０．２を僅かに下回っている部分が存在しているが、それでも、概ね０．２であるとみなしてもよい程度のＭＴＦが確保されており、ＭＴＦが０．２を下回っていることによる解像力の劣化はほとんど無い。
【０１４８】
従って、撮像レンズ４００は、撮像レンズ４００によって物体３を結像して形成された像の中心から周辺まで、優れた解像力を有していると言える。
【０１４９】
図２１（ａ）には、図９（ａ）と同様の要領で、アスペクト比が４：３である受光部５を有するセンサ４を、撮像レンズ４００と組み合わせた場合に、撮像レンズ４００が条件式（１）〜（３）を満足することを、併せて図示している。
【０１５０】
図２１（ａ）を参照すると、条件式（１）は、像高ｈ０．６（像高ｈＡ）における歪曲ｄｉｓｔＡが、２．０％〜５．０％の範囲内である、ということを意味している。
【０１５１】
図２１（ａ）を参照すると、条件式（２）は、像高ｈ０．８（像高ｈＢ）における歪曲ｄｉｓｔＢが、歪曲ｄｉｓｔＡよりも、０．５％〜１．４％小さい、ということを意味している。
【０１５２】
図２１（ａ）を参照すると、条件式（３）は、像高ｈ１．０における歪曲ｄｉｓｔＣが、歪曲ｄｉｓｔＢよりも小さい、ということを意味している。
【０１５３】
図２１（ｂ）のイメージ図には、図９（ｂ）と同様の要領で、格子を撮像して得られた画像の歪みを示している。すなわち、図２１（ｂ）は、矩形格子状の物体が、撮像レンズ４００により、全体的にどのような歪曲を有して結像されるのかを示している。図２１（ｂ）に示す格子像は、視覚的には歪曲がそれほど大きく見えないので、撮像レンズ４００は、実使用上、歪曲の目立ちにくい良好な解像感が得られるものであると言える。
【０１５４】
〔撮像レンズ１の各々の設計データ〕
図２２は、撮像レンズ１００の設計データを示した表である。
【０１５５】
図２３は、撮像レンズ２００の設計データを示した表である。
【０１５６】
図２４は、撮像レンズ３００の設計データを示した表である。
【０１５７】
図２５は、撮像レンズ４００の設計データを示した表である。
【０１５８】
図２６は、撮像レンズ１００、撮像レンズ２００、撮像レンズ３００、および、撮像レンズ４００の各々に対して、像面Ｓ７にセンサ４を配置して構成した、撮像モジュールの仕様の一例を示した表である。
【０１５９】
図２２〜図２５の各データを測定するにあたって、センサ４としては、上記の各光学特性の測定時と同様に、１．３Ｍクラスであり、サイズが１／６型であり、画素のサイズ（画素ピッチ）が１．７５μｍであり、Ｄ（対角）のサイズが２．８６９ｍｍであり、Ｈ（水平）のサイズが２．２４０ｍｍであり、Ｖ（垂直）のサイズが１．７９２ｍｍであるものを適用した。
【０１６０】
また、図２６の各データを得るために、同図に示すとおり、図２２〜図２５の各データを測定する場合と同じセンサ４を用いて、物体距離が１０００ｍｍであると仮定すると共に、図示しないシミュレーション光源として、次の重みづけによる（白色を構成する各波長の混合割合が、下記のように調整された）白色光を用いた。
【０１６１】
４０４．６６ｎｍ＝０．１３
４３５．８４ｎｍ＝０．４９
４８６．１３２７ｎｍ＝１．５７
５４６．０７ｎｍ＝３．１２
５８７．５６１８ｎｍ＝３．１８
６５６．２７２５ｎｍ＝１．５１
図２２〜図２５の項目「構成」において、「Ｌ１」と表記された行には第１レンズＬ１に関する設計データを、「Ｌ２」と表記された行には第２レンズＬ２に関する設計データを、「ＣＧ」と表記された行にはカバーガラスＣＧに関する設計データを、「センサ」と表記された行には像面Ｓ７に配置されたセンサ４に関する設計データを、それぞれ示している。
【０１６２】
図２２〜図２５の項目「材料」において、「Ｎｄ」と表記された列には、第１レンズＬ１、第２レンズＬ２、および、カバーガラスＣＧのｄ線（波長：５８７．６ｎｍ）に対する屈折率を示している。図２２〜図２５の項目「材料」において、「νｄ」と表記された列には、第１レンズＬ１、第２レンズＬ２、および、カバーガラスＣＧのｄ線に対するアッベ数を示している。アッベ数とは、光の分散に対する屈折度の比を示した、光学媒質の定数である。すなわち、アッベ数とは、異なった波長の光を異なった方向へ屈折させる度合であり、高いアッベ数の媒質は、異なった波長に対しての光線の屈折の度合による分散が少なくなる。
【０１６３】
図２２〜図２５の項目「面」における「Ｓ１」〜「Ｓ７」は、各々、面Ｓ１〜面Ｓ６、および、像面Ｓ７に対応しており、これらの各面に関する設計データを同行に示している。また、「Ｓ１」は、開口絞り２が設けられている位置にさらに該当する。
【０１６４】
図２２〜図２５の項目「曲率」は、面Ｓ１〜面Ｓ４の曲率をそれぞれ示している。
【０１６５】
図２２〜図２５の項目「中心厚」は、対応する面の中心から、像面Ｓ７側に向かって次の面の中心までの、光軸Ｌａ方向（図１〜図４のＺ方向参照）の距離を示している。
【０１６６】
図２２〜図２５の項目「有効半径」は、面Ｓ１〜面Ｓ４の各有効半径、すなわち、光束の範囲を規制可能な円領域の半径を示している。
【０１６７】
図２２〜図２５の項目「非球面係数」は、面Ｓ１〜面Ｓ４のそれぞれの、非球面を構成する非球面式（６）における、ｉ次の非球面係数Ａｉ（ｉは４以上の偶数）を示している。非球面式（６）において、Ｚは光軸方向（図１のＺ方向）の座標であり、ｘは光軸に対する法線方向（図１のＸ方向）の座標であり、Ｒは曲率半径（曲率の逆数）であり、Ｋはコーニック（円錐）係数である。
【０１６８】
【数１１】
2011248319.tif 000013
【０１６９】
図２２〜図２５の項目「非球面係数」から明らかであるとおり、本実施の形態において、第１レンズＬ１および第２レンズＬ２はいずれも、その両面に対して一定の非球面係数が付与されており、これにより、面Ｓ１〜面Ｓ４は、全てが非球面形状となっている。第１レンズＬ１および第２レンズＬ２の両面が非球面形状である撮像レンズ１は、諸収差をより良好に補正することが容易となり、好ましい構成であると言える。
【０１７０】
図２６の各項目と、示された内容と、の関係は、以下のとおりである。
【０１７１】
項目「F number」には、撮像レンズ１００、撮像レンズ２００、撮像レンズ３００、および、撮像レンズ４００それぞれのＦナンバーを示している。
【０１７２】
項目「Focal length」には、撮像レンズ１００、撮像レンズ２００、撮像レンズ３００、および、撮像レンズ４００それぞれの（レンズ系全体の）焦点距離を、単位：ｍｍで示している。
【０１７３】
項目「Field of view」には、撮像レンズ１００、撮像レンズ２００、撮像レンズ３００、および、撮像レンズ４００それぞれの画角、すなわち、対応する撮像レンズ１により結像可能な角度を、単位：ｄｅｇ（°）でそれぞれ示しており、Diagonal（対角）、Horizontal（水平）、および、Vertical（垂直）という、３次元のパラメータで示している。
【０１７４】
項目「Optical distortion」には、図９（ａ）、図１３（ａ）、図１７（ａ）、および、図２１（ａ）にそれぞれ示した、撮像レンズ１００、撮像レンズ２００、撮像レンズ３００、および、撮像レンズ４００それぞれの、像高ｈ０．６、像高ｈ０．８、および、像高ｈ１．０のそれぞれにおける歪曲（光学ディストーション）を、具体的な数値（単位：％）で示している。
【０１７５】
項目「TV distortion」には、撮像レンズ１００、撮像レンズ２００、撮像レンズ３００、および、撮像レンズ４００それぞれのＴＶ（Television）歪み、いわゆる、テレビディストーションの値を、単位：％で示している。
【０１７６】
項目「Relative illumination」には、撮像レンズ１００、撮像レンズ２００、撮像レンズ３００、および、撮像レンズ４００の周辺光量比のうち、像高ｈ０．６、像高ｈ０．８、および、像高ｈ１．０のそれぞれにおける各周辺光量比（像高ｈ０での光量に対する、光量の割合）を、単位：％で示している。
【０１７７】
項目「CRA」には、像高ｈ０．６、像高ｈ０．８、および、像高ｈ１．０のそれぞれにおける、撮像レンズ１００、撮像レンズ２００、撮像レンズ３００、および、撮像レンズ４００それぞれの主光線角度（Chief Ray Angle：ＣＲＡ）を、単位：ｄｅｇ（°）で示している。
【０１７８】
項目「Optical length」には、撮像レンズ１００、撮像レンズ２００、撮像レンズ３００、および、撮像レンズ４００それぞれにおける、開口絞り２が光を絞る部分から像面Ｓ７までの距離、すなわち、撮像レンズ１としての光学全長を、単位：ｍｍで示している。撮像レンズ１の光学全長とは、光学特性に対して或る影響を与える全構成要素の、光軸方向における寸法の総計を意味している。
【０１７９】
項目「CG thickness」には、撮像レンズ１００、撮像レンズ２００、撮像レンズ３００、および、撮像レンズ４００それぞれにおける、光軸方向におけるカバーガラスＣＧの厚みを、単位：ｍｍで示している。
【０１８０】
項目「Hyper focal distance」には、撮像レンズ１００、撮像レンズ２００、撮像レンズ３００、および、撮像レンズ４００それぞれにおいて、被写界深度の最遠点が無限遠にまで拡がるように焦点合わせをした時の物体距離（レンズから被写体までの距離）である過焦点距離を、単位：ｍｍで示している。
【０１８１】
また、図２６の表には、上記アスペクト比を構成するａおよびｂの数値を例示している。また、図２６の表には、ａおよびｂの数値を条件式（４）および（５）のそれぞれに代入して算出されたＡおよびＢの数値を示している。さらに、図２６の表には、条件式（１）〜（３）を構成する各値である、ｄｉｓｔＡ、ｄｉｓｔＢ、ｄｉｓｔＣ、ｄｉｓｔＡ−ｄｉｓｔＢ、および、ｄｉｓｔＣ−ｄｉｓｔＢの数値を併せて示した。図２６の表において、これらの数値はいずれも、撮像レンズ１００、撮像レンズ２００、撮像レンズ３００、および、撮像レンズ４００における各数値を示している。
【０１８２】
図２６に示すとおり、撮像レンズ１００、撮像レンズ２００、撮像レンズ３００、および、撮像レンズ４００はいずれも、Ｆナンバーが、３．２未満である２．８０となっているため、明るい像が得られるものである。
【０１８３】
図２６の表によれば、本発明に係る画角の最大値に対応する項目は、撮像レンズ１００、撮像レンズ２００、撮像レンズ３００、および、撮像レンズ４００のいずれにおいても、項目「Field of view」のDiagonal（対角）となっている。この項目は、撮像レンズ１００および２００で６７．０°、撮像レンズ３００および４００で６５．０°となっている。従って、撮像レンズ１００、撮像レンズ２００、撮像レンズ３００、および、撮像レンズ４００はいずれも、画角の最大値が６２°を超えている。
【０１８４】
〔本発明の撮像レンズおよび撮像モジュールの製造方法例１〕
ここからは、本発明の撮像レンズおよび撮像モジュールの製造方法の一例について、図２７（ａ）〜（ｄ）を参照して説明する。
【０１８５】
第１レンズＬ１および第２レンズＬ２は、主に熱可塑性樹脂１３１を用いた射出成形により作製される。熱可塑性樹脂１３１を用いた射出成形では、加熱により軟化した熱可塑性樹脂１３１を、所定の射出圧（およそ、１０〜３０００ｋｇｆ／ｃ）を加えながら金型１３２に押し込んで、熱可塑性樹脂１３１を金型１３２に充填する（図２７（ａ）参照）。なお、便宜上、図２７（ａ）には、第１レンズＬ１成形時の様子のみを図示しているが、第２レンズＬ２成形時においても同様に、金型１３２の形状に応じて、当業者であれば容易に成形を実施することができる。
【０１８６】
複数の第１レンズＬ１が成形された熱可塑性樹脂１３１を、金型１３２から取り出し、１枚の第１レンズＬ１毎に分割する（図２７（ｂ）参照）。便宜上、図示していないが、同様に、複数の第２レンズＬ２が成形された熱可塑性樹脂１３１を、金型１３２から取り出し、１枚の第２レンズＬ２毎に分割する。
【０１８７】
各々分割された１枚の、第１レンズＬ１および第２レンズＬ２を、レンズホルダ１３３に、嵌め込んで、または圧入して、組み立てる（図２７（ｃ）参照）。なお、開口絞り２（図１参照）は、レンズホルダ１３３に形成されている例を示している。図２７（ｃ）に示す撮像モジュール１３６の完成前の中間生成物は、撮像レンズ１として使用可能である。
【０１８８】
図２７（ｃ）に示す撮像モジュール１３６の完成前の中間生成物を、鏡筒１３４に嵌め込んで組み立てる。さらにその後、第１レンズＬ１および第２レンズＬ２を備えて構成される撮像レンズ１の像面Ｓ７（図１〜図４参照）に、受光部５にカバーガラスＣＧが貼り付けられたセンサ４を搭載する。こうして、撮像モジュール１３６は完成する（図２７（ｄ）参照）。
【０１８９】
射出成形レンズである第１レンズＬ１および第２レンズＬ２に用いられる、熱可塑性樹脂１３１の加重たわみ温度は、摂氏１３０度程度である。このため、熱可塑性樹脂１３１は、表面実装で主に適用される技術であるリフローを実施するときの熱履歴（最大温度が摂氏２６０度程度）に対する耐性が不十分であるため、リフロー時に発生する熱に耐えることができない。
【０１９０】
よって、撮像モジュール１３６を基板に実装するときには、センサ４部分のみをリフローにより実装する一方、第１レンズＬ１および第２レンズＬ２部分を樹脂で接着する方法、または、第１レンズＬ１および第２レンズＬ２の搭載部分を局所的に加熱するという実装方法が採用されている。
【０１９１】
なお、カバーガラスＣＧはセンサ４に含まれるものとして、センサ４の中にある四角で図示している。撮像モジュール１３６では、センサ４の受光部５のみにカバーガラスＣＧを貼り付けている例を示している。
【０１９２】
〔本発明の撮像レンズおよび撮像モジュールの製造方法例２〕
続いては、本発明の撮像レンズおよび撮像モジュールの製造方法の別の例について、図２８（ａ）〜（ｄ）を参照して説明する。
【０１９３】
近年では、第１レンズ（隣り合うレンズの一方）Ｌ１および／または第２レンズ（撮像レンズを構成する最も像面側のレンズ、隣り合うレンズの他方）Ｌ２の材料として、熱硬化性樹脂またはＵＶ硬化性樹脂を用いた、いわゆる耐熱カメラモジュールの開発が進められている。ここで説明する撮像モジュール１４８は、この耐熱カメラモジュールであり、第１レンズＬ１および第２レンズＬ２の材料として、熱可塑性樹脂１３１（図２７（ａ）参照）のかわりに、熱硬化性樹脂１４１が用いられている。熱硬化性樹脂１４１のかわりに、ＵＶ硬化性樹脂が用いられてもよい。
【０１９４】
第１レンズＬ１および／または第２レンズＬ２の材料として、熱硬化性樹脂１４１またはＵＶ硬化性樹脂を用いる理由は、大量の撮像モジュール１４８を一括して、かつ短時間で製造することにより、撮像モジュール１４８の製造コストの低減を図るためである。特に、第１レンズＬ１および第２レンズＬ２の材料として、熱硬化性樹脂１４１またはＵＶ硬化性樹脂を用いる理由は、撮像モジュール１４８に対して、リフローの実施を可能にするためである。
【０１９５】
撮像モジュール１４８を製造する技術は、多々提案されている。中でも代表的な技術は、上述した射出成形、および、ウエハレベルレンズプロセスである。特に、最近では、撮像モジュールの製造時間およびその他の総合的知見において、より有利であると考えられている、ウエハレベルレンズ（リフローアブルレンズ）プロセスが注目されている。
【０１９６】
ウエハレベルレンズプロセスを実施するにあたっては、熱に起因して、第１レンズＬ１および第２レンズＬ２に塑性変形が発生してしまうことを抑制する必要がある。この必要性から、第１レンズＬ１および第２レンズＬ２としては、熱が加えられても変形しにくい、耐熱性に非常に優れた、熱硬化性樹脂材料またはＵＶ硬化性樹脂材料を用いたウエハレベルレンズ（レンズアレイ）が注目されている。具体的には、摂氏２６０〜２８０度の熱が１０秒以上与えられても、塑性変形しない程度の耐熱性を有している、熱硬化性樹脂材料またはＵＶ硬化性樹脂材料を用いたウエハレベルレンズが注目されている。
【０１９７】
ウエハレベルレンズプロセスでは、熱硬化性樹脂１４１を、レンズアレイ成形型１４２および１４３により、第１レンズアレイ１４４および第２レンズアレイ（レンズアレイ）１４５にそれぞれ一括成型した後、これらを接合し、さらに、センサアレイ１４７を搭載した後、１つの撮像モジュール１４８毎に分割して、撮像モジュール１４８を製造する。
【０１９８】
ここからは、ウエハレベルレンズプロセスの詳細について説明する。
【０１９９】
ウエハレベルレンズプロセスでは、まず、多数の凹部が形成されたレンズアレイ成形型１４２と、該凹部の各々に対応する多数の凸部が形成されたレンズアレイ成形型１４３と、により、熱硬化性樹脂１４１を挟み込み、かつ、レンズアレイ成形型１４２および１４３において発生する熱により熱硬化性樹脂１４１を硬化させ、互いに対応する該凹部および凸部の組み合わせ毎にレンズが成形された、レンズアレイを作製する（図２８（ａ）参照）。
【０２００】
図２８（ａ）に示す工程で作製するレンズアレイは、熱硬化性樹脂１４１に多数の第１レンズＬ１が互いに同一面上に成形された第１レンズアレイ１４４である。便宜上、図示を省略しているが、熱硬化性樹脂１４１に多数の第２レンズＬ２が互いに同一面上に成形された第２レンズアレイ１４５を、レンズアレイ成形型により作製する場合においても、図２８（ａ）と同様の工程を実施すればよい。
【０２０１】
第１レンズアレイ１４４と第２レンズアレイ１４５とを、各第１レンズＬ１および第２レンズＬ２に関して、第１レンズＬ１の光軸と、これに対応する第２レンズＬ２の光軸と、の両方が、図１に示す撮像レンズ１の光軸Ｌａ上に位置するように接合する（図２８（ｂ）参照）。撮像モジュール（撮像レンズを含む）の大量生産の観点から、第１レンズアレイ１４４と第２レンズアレイ１４５とは、第１レンズＬ１の光軸と対応する第２レンズＬ２の光軸との組み合わせの少なくとも２組の各々に関して、これらの両光軸が互いに、光軸Ｌａ上に位置するように貼り合せる。
【０２０２】
但し、具体的に、第１レンズアレイ１４４と第２レンズアレイ１４５との間での位置あわせを行う調芯方法としては、第１レンズＬ１および第２レンズＬ２の各光軸同士を、光軸Ｌａ上に揃える以外にも、撮像しながら調芯を図る等、色々な手法が挙げられ、また、位置あわせは、ウエハのピッチ仕上がり精度にも影響される。
【０２０３】
図２８（ｂ）に示す、第１レンズアレイ１４４と第２レンズアレイ１４５とを接合したものに対して、各光軸Ｌａと対応する各センサ４の中心４ｃとが重なり合うように、多数のセンサ４が一体的に搭載されたセンサアレイ１４７を搭載する（図２８（ｃ）参照）。各センサ４はそれぞれ、対応する各撮像レンズ１の像面Ｓ７（図１〜図４参照）に配置され、さらに、受光部５にカバーガラスＣＧが貼り付けられている。
【０２０４】
また、このとき、第１レンズアレイ１４４における各凸部である、各第１レンズＬ１の面Ｓ１（図１参照）に対応する部分を露出させるように、開口絞り２（図１参照）を取り付ける。但し、開口絞り２を取り付けるタイミング、および取り付けの手法については、特に限定されない。
【０２０５】
図２８（ｃ）に示す工程により、アレイ状となっている多数の撮像モジュール１４８を、第１レンズＬ１の光軸と対応する第２レンズＬ２の光軸との組み合わせの１組を単位として、つまり換言すれば、１つの撮像モジュール１４８毎に（最低限、１つの撮像モジュール１４８を単位として）分割して、撮像モジュール１４８は完成する（図２８（ｄ）参照）。
【０２０６】
なお、カバーガラスＣＧはセンサ４に含まれるものとして、センサ４の中にある四角で図示している。撮像モジュール１４８では、センサ４の受光部５のみにカバーガラスＣＧを貼り付けている例を示している。
【０２０７】
なお、図２８（ｃ）に示す、各センサ４（センサアレイ１４７）を搭載する工程を省略し、カバーガラスＣＧのみを搭載することで、撮像モジュール１４８から撮像素子を省略すれば、ウエハレベルレンズプロセスにより、撮像レンズ１を製造することも容易に可能である。
【０２０８】
但し、カバーガラスＣＧを取り付けるタイミング、および取り付けの手法については、特に限定されない。このとおり、撮像レンズ１または撮像モジュール１４８に、カバーガラスＣＧを設ける形態は、図１等に示す形態であっても、図２７（ｄ）および図２８（ｄ）に示す形態であっても、どちらでもよい。
【０２０９】
以上、図２８（ａ）〜（ｄ）に示すウエハレベルレンズプロセスにより、多数の撮像モジュール１４８を一括して製造することで、撮像モジュール１４８の製造コストは、低減することができる。さらに、完成した撮像モジュール１４８を、基板に実装するときにおいて、リフローにより発生する熱（最大温度が摂氏２６０度程度）に起因して塑性変形してしまうことを避けるため、第１レンズＬ１および第２レンズＬ２は、摂氏２６０〜２８０度の熱に対して１０秒以上の耐性を有している、熱硬化性樹脂またはＵＶ硬化性樹脂を用いるのが、より好ましい。これにより、撮像モジュール１４８に対しては、リフローを施すことが可能となる。ウエハレベルでの製造工程に、さらに、耐熱性を有している樹脂材料を適用することで、リフローに対応可能な撮像モジュールを安価に製造することが可能である。
【０２１０】
撮像モジュール１４８は、撮像レンズ１と、受光部５を有しているセンサ４と、を備える構成であると解釈できる。
【０２１１】
撮像モジュール１４８は、自身に備えられた撮像レンズ１と同様の効果を奏するため、例えば２枚という少ないレンズ枚数であっても良好な解像力を有する、安価なデジタルカメラを実現することが可能となる。
【０２１２】
撮像モジュール１４８は、センサ４の画素数が１００万画素を超えているのが好ましい。
【０２１３】
撮像レンズ１の解像力に適したセンサ４を備えることにより、良好な解像力を有する撮像モジュール１４８を得ることができる。なお、撮像モジュール１４８では、１．３Ｍクラスのセンサ４を備えることが好適である。
【０２１４】
撮像モジュール１４８は、センサ４の画素のピッチが２．５μｍ未満であるのが好ましい。
【０２１５】
画素のピッチが２．５μｍ未満である固体撮像素子を用いてセンサ４を構成することにより、高画素の撮像素子の性能を十分活かした撮像モジュール１４８を実現することができる。
【０２１６】
図２８（ａ）〜（ｄ）に示したウエハレベルレンズプロセスによって、撮像モジュール１４８は、同一面上に、第２レンズＬ２を複数備えた第２レンズアレイ１４５と、同一面上にセンサ４を複数備えたセンサアレイ１４７と、を用意し、各第２レンズＬ２と各センサ４とが、１対１に対応して対向配置されるように、第２レンズアレイ１４５にセンサアレイ１４７を搭載した後、対向配置された、第２レンズＬ２およびセンサ４の組み合わせを単位として分割して製造されたものであると解釈することができる。
【０２１７】
図２８（ａ）〜（ｄ）に示したウエハレベルレンズプロセスによって、撮像モジュール１４８は、同一面上に、第１レンズＬ１を複数備えた第１レンズアレイ１４４と、同一面上に、第２レンズＬ２を複数備えた第２レンズアレイ１４５と、を用意し、各第１レンズＬ１と各第２レンズＬ２とが、１対１に対応して対向配置されるように、第１レンズアレイ１４４に第２レンズアレイ１４５を貼り合せた後、対向配置された、第１レンズＬ１および第２レンズＬ２の組み合わせを単位として分割して製造されたものであると解釈することができる。
【０２１８】
上記の構成によれば、大量の撮像モジュール１４８を一括して、かつ短時間で製造することが可能となるため、撮像モジュール１４８の製造コストは、低減することが可能となる。撮像モジュール１４８は、少ないレンズ枚数で撮像レンズ１を実現することで、部品削減によるコストの低下が可能であると共に、上記のような安価な製造方法が適用でき、これらの相乗効果でより安価に製造できる。特に、撮像レンズ１において、レンズの枚数を少なくして、レンズアレイを貼り合せる工程を削減することにより、撮像モジュール１４８においては、製造誤差が発生し得る要因も減るため、より効果的なコスト削減が期待できる。
【０２１９】
撮像モジュール１４８は、撮像レンズ１を構成するレンズの少なくとも１つは、熱硬化性樹脂またはＵＶ硬化性樹脂から成るのが好ましい。
【０２２０】
撮像レンズ１を構成するレンズの少なくとも１つを、熱硬化性樹脂またはＵＶ硬化性樹脂から成る構成とすることにより、図２８（ａ）〜（ｄ）に示す、撮像モジュール１４８の製造段階において、複数のレンズを樹脂に成形して、レンズアレイを作製することが可能となり、さらに、撮像レンズ１をリフロー実装することが可能となる。
【０２２１】
上記の構成によれば、実装コストを下げることを目的とする、熱硬化性樹脂または紫外線硬化性樹脂から成るレンズと、少ないレンズ枚数で光学系を実現する本発明の撮像レンズまたは撮像モジュールと、を併せて適用することで、より効果的なコスト削減が可能となる。
【０２２２】
また、撮像モジュール１４８を備える携帯情報機器は、備えられた、本発明の撮像モジュール、ひいては、本発明の撮像レンズと同様の効果を奏する。このような携帯情報機器の一例としては例えば、情報携帯端末および携帯電話機等の各種携帯端末が挙げられる。
【０２２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２４】
本発明は、携帯端末のデジタルカメラ等への搭載を目的とした、撮像レンズおよび撮像モジュールに利用可能である。特に、本発明は、固体撮像素子を用いた撮像モジュール、および、この撮像モジュールへの適用に都合のよい撮像レンズに利用可能である。
【符号の説明】
【０２２５】
１、１００、２００、３００、および４００  撮像レンズ
２        開口絞り
３        物体
４        センサ（固体撮像素子）
５        受光部
１４１    熱硬化性樹脂
１４４    第１レンズアレイ
１４５    第２レンズアレイ（レンズアレイ）
１４７    センサアレイ
１３６および１４８    撮像モジュール
Ｌ１      第１レンズ（隣り合うレンズの一方）
Ｌ２      第２レンズ（撮像レンズを構成する最も像面側のレンズ、隣り合うレンズの他方）
Ｓ１      第１レンズにおける物体側に向けた面
Ｓ２      第１レンズにおける像面側に向けた面
Ｓ３      第２レンズにおける物体側に向けた面
Ｓ４      第２レンズにおける像面側に向けた面
Ｓ７      像面
Ｌａ      光軸
【図１】
2011248319.tif 000019
【図２】
2011248319.tif 000020
【図３】
2011248319.tif 000021
【図４】
2011248319.tif 000022
【図５】
2011248319.tif 000023
【図６】
2011248319.tif 000024
【図７】
2011248319.tif 000025
【図８】
2011248319.tif 000026
【図９】
2011248319.tif 000027
【図１０】
2011248319.tif 000028
【図１１】
2011248319.tif 000029
【図１２】
2011248319.tif 000030
【図１３】
2011248319.tif 000031
【図１４】
2011248319.tif 000032
【図１５】
2011248319.tif 000033
【図１６】
2011248319.tif 000034
【図１７】
2011248319.tif 000035
【図１８】
2011248319.tif 000036
【図１９】
2011248319.tif 000037
【図２０】
2011248319.tif 000038
【図２１】
2011248319.tif 000039
【図２２】
2011248319.tif 000040
【図２３】
2011248319.tif 000041
【図２４】
2011248319.tif 000042
【図２５】
2011248319.tif 000043
【図２６】
2011248319.tif 000044
【図２７】
2011248319.tif 000045
【図２８】
2011248319.tif 000046